(57)【特許請求の範囲】
【請求項１】
或る波長の光を透過させる光学機能層と、
前記光学機能層と向き合い、前記波長の光を吸収する光吸収パターンと、
前記光学機能層及び前記光吸収パターンがそれらの構造を維持する温度範囲内の何れかの温度において流動性を示し、前記波長の光を吸収するインキを含んだインキ層と
を備え、
前記光学機能層及び前記光吸収パターンの後方に位置し、前記波長の光を反射させる光反射層を更に備えていてもよいラベルであって、
前記ラベルが前記光反射層を含んでいない場合、前記インキ層は、前記光学機能層の主面への前記インキ層の第１正射影と前記主面への前記光吸収パターンの第２正射影との組み合わせが前記主面の一部のみを占めるように、前記光学機能層又は前記光吸収パターンの後方に位置し、
前記ラベルが前記光反射層を含んでいる場合、前記インキ層は、前記光反射層の後方に位置しているか、又は、前記組み合わせが前記主面の一部のみを占めるように前記光学機能層又は前記光吸収パターンの後方に位置しているラベル。
【請求項２】
前記ラベルは前記光反射層を含み、前記インキ層は前記光反射層の後方に位置している請求項１に記載のラベル。
【請求項３】
前記光学機能層は前記光吸収パターンと前記光反射層との間に介在した請求項２に記載のラベル。
【請求項４】
前記光吸収パターンは前記光学機能層と前記光反射層との間に介在した請求項２に記載のラベル。
【請求項５】
或る波長の光を透過させる光学機能層と、
前記光学機能層の背面の一部と向き合い、前記波長の光を反射させる光反射パターンとしての光反射層と、
前記光学機能層の背面の他の一部と前記光反射層を間に挟んで向き合ったインキ層であって、前記光学機能層及び前記光反射層がそれらの構造を維持する温度範囲内の何れかの温度において流動性を示し、前記波長の光を吸収するインキを含んだインキ層と
を備えたラベル。
【請求項６】
前記ラベルは前記光反射層を含み、前記光反射層の前方に位置し、前記波長の光を透過させる多孔質層を更に備えた請求項１乃至５の何れか１項に記載のラベル。
【請求項７】
前記多孔質層は前記光学機能層と前記光反射層との間に介在した請求項６に記載のラベル。
【請求項８】
前記波長は赤外領域内にあり、前記光学機能層は黒色層である請求項１乃至７の何れか１項に記載のラベル。
【請求項９】
前記波長は近赤外領域内にあり、前記光学機能層の前記波長における透過率は３０％以上であり、前記光学機能層は、近赤外領域の７００乃至８００ｎｍの波長域と、近赤外領域の８００乃至１５００％の波長域でいずれかの波長の透過率差が１０％以上である請求項８に記載のラベル。
【請求項１０】
請求項１乃至９の何れか１項に記載のラベルと、前記ラベルの背面と向き合った粘着層とを具備した粘着ラベル。
【請求項１１】
請求項１乃至９の何れか１項に記載のラベルと、
前記ラベルの背面と向き合った印刷基材と、
前記ラベルと前記印刷基材との間に介在して、前記ラベルを前記印刷基材に貼り付けた粘着層と
を具備した印刷物。
【発明の詳細な説明】
【技術分野】
【０００１】
本発明は、例えば偽造防止に利用可能なラベル並びにそれを含んだ粘着ラベル及び印刷物に関する。
【背景技術】
【０００２】
近年、偽造品の流通が大きな社会問題となっている。そこで、例えば、物品に、それが真正品であることを確認可能とするラベルを付されることがある。そのようなラベル、所謂偽造防止ラベルとしては、例えば、蛍光インキ及びＯＶＩ（optically variable ink）などの機能性インキによって形成した印刷層を含んだラベル、マイクロ印刷及び凹版印刷などの特殊印刷によって形成した印刷層を含んだラベル、ホログラム又は回折格子を含んだラベル、磁気記録によって情報を書き込んだラベル、並びにＩＣ（integrated circuit）タグを含んだラベルがある。
【０００３】
これら偽造防止ラベルの多くは、それ自体の偽造が困難である。但し、偽造防止ラベルの中には、これが貼り付けられた物品から比較的容易に剥がすことができるものがある。そのようなラベルは、使用済みの物品から剥がして偽造品に貼り付けるといった不正行為に使用される可能性がある。
【０００４】
偽造防止ラベルの中には、その再使用を不可能とするための対策を講じたものもある。
【０００５】
例えば、一部の偽造防止ラベルには、切欠きが設けられている。そのような偽造防止ラベルは、これが貼り付けられた物品から引き剥がそうとすると、切欠きの位置から裂けるように設計されている。
【０００６】
また、基材が比較的小さな力で脆性破壊を生じる偽造防止ラベルもある。このようなラベルも、これが貼り付けられた物品から引き剥がそうとすると破壊されるように設計されている。
【０００７】
更に、比較的小さな力で脆性破壊を生じる脆性層を含み、この脆性層とその観察者側の面に隣接した層との接着強度が場所によって異なっている偽造防止ラベルもある。このようなラベルを、これが貼り付けられた物品から引き剥がすと、接着強度の分布に対応したパターンで脆性層が破壊される。その結果、例えば、脆性層等の一部は物品上に文字列「ＶＯＩＤ」に対応したパターンで残り、偽造防止ラベルの脆性層等には、文字列「ＶＯＩＤ」に対応したパターンの欠落部を生じる。
【０００８】
これら偽造防止ラベルは、引き剥がすことによって物品から剥離した場合には、再使用は不可能であるか又は困難である。しかしながら、これら偽造防止ラベルは、粘着層又は接着層に有機溶剤を滲み込ませると、ラベル本体の損傷なしに剥離できることがある。
【０００９】
これを不可能又は困難とするための技術を採用した偽造防止ラベルもある。  
例えば、粘着層の材料として、粘着剤とこれに対して難溶性の添加剤との混合物を使用した偽造防止ラベルがある（例えば、特許文献１参照）。この偽造防止ラベルは、有機溶剤を使用して剥離した場合、粘着剤及び添加剤の有機溶剤に対する溶け易さの相違に起因して、粘着層の表面に凹凸を生じる。
【００１０】
また、印刷層が有機溶剤に可溶な染料を含有した偽造防止ラベルもある（例えば、特許文献２参照）。この偽造防止ラベルは、有機溶剤を使用して剥離しようとすると、染料が印刷層から滲み出る。
【００１１】
なお、このラベルは、ドライヤ等で表面を温めることによって、ラベル本体の損傷や染料の染み出しなしに剥離することができる。加熱による剥離への対策を施した偽造防止ラベルとしては、例えば、加熱によって発泡する発泡粒子を粘着層に含有させた偽造防止ラベルがある（例えば、特許文献３参照）。
【００１２】
これら偽造防止ラベルは、有機溶剤又は熱を利用して剥離した場合には、再使用が不可能であるか又は困難である。但し、使用期間を終えた物品については、偽造防止ラベルが、これが貼り付けられた物品の表層とともに除去される可能性を考慮しなければならない。上述した対策では、このようにして除去した偽造防止ラベルの再使用を防ぐことはできない。
【先行技術文献】
【特許文献】
【００１３】
【特許文献１】特開２００５―２６６１４７号公報
【特許文献２】特開平１０−２０４３６３号公報
【特許文献３】特開２０００−２９３１０８号公報
【発明の概要】
【発明が解決しようとする課題】
【００１４】
本発明の目的は、物品に付されたラベルが、その物品の使用期間を終了した後に再使用されるのを抑制可能とすることにある。
【課題を解決するための手段】
【００１５】
本発明の第１側面によると、或る波長の光を透過させる光学機能層と、前記光学機能層と向き合い、前記波長の光を吸収する光吸収パターンと、前記光学機能層及び前記光吸収パターンがそれらの構造を維持する温度範囲内の何れかの温度において流動性を示し、前記波長の光を吸収するインキを含んだインキ層とを備え、前記光学機能層及び前記光吸収パターンの後方に位置し、前記波長の光を反射させる光反射層を更に備えていてもよいラベルであって、前記ラベルが前記光反射層を含んでいない場合、前記インキ層は、前記光学機能層の主面への前記インキ層の第１正射影と前記主面への前記光吸収パターンの第２正射影との組み合わせが前記主面の一部のみを占めるように、前記光学機能層又は前記光吸収パターンの後方に位置し、前記ラベルが前記光反射層を含んでいる場合、前記インキ層は、前記光反射層の後方に位置しているか、又は、前記組み合わせが前記主面の一部のみを占めるように前記光学機能層又は前記光吸収パターンの後方に位置しているラベルが提供される。
【００１６】
本発明の第２側面によると、前記ラベルは前記光反射層を含み、前記インキ層は前記光反射層の後方に位置している第１側面に係るラベルが提供される。
【００１７】
本発明の第３側面によると、前記光学機能層は前記光吸収パターンと前記光反射層との間に介在した第２側面に係るラベルが提供される。
【００１８】
本発明の第４側面によると、前記光吸収パターンは前記光学機能層と前記光反射層との間に介在した第２側面に係るラベルが提供される。
【００１９】
本発明の第５側面によると、或る波長の光を透過させる光学機能層と、前記光学機能層の背面の一部と向き合い、前記波長の光を反射させる光反射パターンとしての光反射層と、前記光学機能層の背面の他の一部と前記光反射層を間に挟んで向き合ったインキ層であって、前記光学機能層及び前記光反射層がそれらの構造を維持する温度範囲内の何れかの温度において流動性を示し、前記波長の光を吸収するインキを含んだインキ層とを備えたラベルが提供される。
【００２０】
本発明の第６側面によると、前記ラベルは前記光反射層を含み、前記光反射層の前方に位置し、前記波長の光を透過させる多孔質層を更に備えた第１乃至第５側面の何れか１つに係るラベルが提供される。
【００２１】
本発明の第７側面によると、前記多孔質層は前記光学機能層と前記光反射層との間に介在した第６側面に係るラベルが提供される。
【００２２】
本発明の第８側面によると、前記波長は赤外領域内にあり、前記光学機能層は黒色層である第１乃至第７側面の何れか１つに係るラベルが提供される。
【００２３】
本発明の第９側面によると、前記波長は近赤外領域内にあり、前記光学機能層の前記波長における透過率は３０％以上であり、前記光学機能層は、近赤外領域の７００乃至８００ｎｍの波長域と、近赤外領域の８００乃至１５００％の波長域でいずれかの波長の透過率差が１０％以上である第８側面に係るラベルが提供される。
【００２４】
本発明の第１０側面によると、第１乃至第９側面の何れか１つに係るラベルと、前記ラベルの背面と向き合った粘着層とを具備した粘着ラベルが提供される。
【００２５】
本発明の第１１側面によると、第１乃至第９側面の何れか１つに係るラベルと、前記ラベルの背面と向き合った印刷基材と、前記ラベルと前記印刷基材との間に介在して、前記ラベルを前記印刷基材に貼り付けた粘着層とを具備した印刷物が提供される。
【発明の効果】
【００２６】
本発明によると、物品に貼り付けられたラベルが、その物品の使用期間を終了した後に再使用されるのを抑制することが可能となる。
【００２７】
第１側面に係るラベルが光反射層を含んでいない場合、そのインキ層は、光学機能層の主面へのインキ層の第１正射影と先の主面への光吸収パターンの第２正射影との組み合わせが先の主面の一部のみを占めるように、光学機能層又は光吸収パターンの後方に位置している。第１側面に係るラベルが光反射層を含んでいる場合、そのインキ層は、光反射層の後方に位置しているか、或いは、上記組み合わせが先の主面の一部のみを占めるように光学機能層又は光吸収パターンの後方に位置している。従って、このラベルは、その前面を上記波長（以下、「第１波長」という）の光で照明した場合、光吸収パターンに対応した領域又は第１及び第２正射影の少なくとも一方に対応した領域が暗く、他の領域が明るい第１画像を表示する。
【００２８】
このラベルに、必要に応じて加熱しながら、針を突き刺すなどの無効化処理を行って、その前面からインキ層へ至る孔を設けると、インキ層からインキが滲み出る。インキ層から滲み出たインキは、先の孔内に広がり、場合によっては、ラベルの表面に対して平行な方向へ更に広がる。従って、無効化処理後のラベルは、その前面を第１波長の光で照明した場合、光吸収パターンに対応した領域又は第１及び第２正射影の少なくとも一方に対応した領域に加え、滲み出たインキに対応した領域が暗い第２画像を表示する。
【００２９】
それ故、例えば、このラベルを貼り付けた物品がその使用期間を終了したときに無効化処理を行うこととすれば、真正品であるかが不明の物品に貼り付けられたラベルが第１波長の光で照明した場合に表示する画像と、第１及び第２画像の少なくとも一方、特には第１画像とを比較することによって、先の物品の真偽を判定することができる。従って、不正行為を行う者を牽制することができ、それ故、物品に貼り付けられたラベルが、その物品の使用期間を終了した後に再使用されるのを抑制することができる。
【００３０】
第２側面に係るラベルでは、インキ層は光反射層の後方に位置している。この場合、インキ層をパターニングする必要がなく、光吸収パターンに対するインキ層の位置合わせも不要である。
【００３１】
第３側面に係るラベルは、第２側面に係るラベルのうち、光学機能層が光吸収パターンと光反射層との間に介在したものである。それ故、例えば、光学機能層上に光吸収パターンを形成する場合、インキ層と光反射層と光学機能層とを含んだ構造を予め形成しておき、光吸収パターンをオンデマンドで形成することができる。即ち、ラベル毎に光吸収パターンを異なる形状に形成することが容易である。
【００３２】
第４側面に係るラベルは、第２側面に係るラベルのうち、光吸収パターンが光学機能層と光反射層との間に介在したものである。それ故、光学機能層の可視光線透過率が低くすることにより、光吸収パターンを隠蔽することができる。その結果、このラベルを利用して真偽判定を行っていることは、不正行為を行う者に悟られ難くなる。
【００３３】
第５側面に係るラベルでは、光反射層は、光学機能層の背面の一部と向き合った光反射パターンであり、インキ層は、光学機能層の背面の他の一部と反射層を間に挟んで向き合っている。従って、このラベルは、その前面を第１波長の光で照明した場合、光反射パターンに対応した領域が明るく、他の領域が暗い第３画像を表示する。
【００３４】
このラベルに、必要に応じて加熱しながら、針を突き刺すなどの無効化処理を行って、その前面からインキ層へ至る孔を設けると、インキ層からインキが滲み出る。インキ層から滲み出たインキは、先の孔内に広がり、場合によっては、ラベルの表面に対して平行な方向へ更に広がる。従って、無効化処理後のラベルは、その前面を第１波長の光で照明した場合、第３画像と比較して暗く見える領域がより広い第４画像を表示する。
【００３５】
それ故、例えば、このラベルを貼り付けた物品がその使用期間を終了したときに無効化処理を行うこととすれば、真正品であるかが不明の物品に貼り付けられたラベルが第１波長の光で照明した場合に表示する画像と、第３及び第４画像の少なくとも一方、特には第３画像とを比較することによって、先の物品の真偽を判定することができる。従って、不正行為を行う者を牽制することができ、それ故、物品に貼り付けられたラベルが、その物品の使用期間を終了した後に再使用されるのを抑制することができる。
【００３６】
第６側面に係るラベルは、第１乃至第５側面の何れかに係るラベルのうち、光反射層の前方に位置し、第１波長の光を透過させる多孔質層を更に備えたものである。多孔質層は、インキ層から滲み出たインキを吸収するとともに、上記主面に平行な方向へ拡散させる。従って、インキがラベルの表面に到達して、周囲の物体を汚すのを抑制することができる。
【００３７】
第７側面に係るラベルは、第６側面に係るラベルのうち、多孔質層が光学機能層と光反射層との間に介在したものである。この構成によると、多孔質層の表面が最表面となることはなく、従って、インキが周囲の物体を汚すのをより確実に防止することができる。
【００３８】
第８側面に係るラベルは、第１乃至第７側面の何れか１つに係るラベルのうち、第１波長が赤外領域内にあり、光学機能層が黒色層であるものである。なお、ここで「黒色」とは、正反射光の強度を測定したときに、波長が４００ｎｍ乃至７００ｎｍの範囲内にある全ての光成分について、反射率が１０％以下であることを意味している。
【００３９】
この構成を採用した場合、光吸収パターンが黒色であるか若しくは光学機能層の後方に位置しているとき、又は、光反射層が光反射パターンであるときには、光吸収パターン又は光反射パターンの存在を悟られ難くすることができる。即ち、このラベルを利用して真偽判定を行っていることを、不正行為を行う者に悟られ難くすることができる。
【００４０】
第８側面に係るラベルは、第８側面に係るラベルのうち、第１波長が近赤外領域内にあり、光学機能層の第１波長における透過率が３０％以上であり、前記光学機能層は、近赤外領域の７００乃至８００ｎｍの波長域と、近赤外領域の８００乃至１５００％の波長域でいずれかの波長の透過率差が１０％以上であるものである。即ち、光学機能層の近赤外領域における透過スペクトルは、第１波長において高い透過率を示し、前記近赤外領域の７００乃至８００ｎｍの波長域と、近赤外領域の８００乃至１５００ｎｍの波長域でいずれかの波長の透過率差が１０％以下となる。従って、真偽判定に第１波長の光を利用することを知らない者にとっては、無効化処理を行う前のラベルと無効化処理を行った後のラベルとの相違を判別することは不可能であるか又は困難である。それ故、上記の無効化処理を利用した偽造防止対策を講じていることは、不正行為を行う者に悟られ難い。
【００４１】
第１０側面に係る粘着ラベルは、第１乃至第９側面の何れか１つに係るラベルを含んでいる。粘着ラベルは、先のラベルを物品に貼り付ける場合に利用可能な一形態である。
【００４２】
第１１側面に係る印刷物は、第１乃至第９側面の何れか１つに係るラベルを含んでいる。この印刷物は、その使用期間を終了した後にラベルが再使用される可能性が低い。
【図面の簡単な説明】
【００４３】
【図１】本発明の第１態様に係るラベルを概略的に示す平面図。
【図２】図１に示すラベルのＩＩ−ＩＩ線に沿った断面図。
【図３】真偽判定に利用可能な画像表示システムの一例を概略的に示す図。
【図４】図１及び図２に示すラベルに記録された情報を、図３に示す画像表示システムによって可視化してなる画像の一例を概略的に示す図。
【図５】図１及び図２に示すラベルの無効化処理法の一例を概略的に示す断面図。
【図６】図１及び図２に示すラベルを無効化処理してなる構造の一例を概略的に示す断面図。
【図７】図５に示す方法によって無効化したラベルに記録された情報を、図３に示す画像表示システムによって可視化してなる画像の一例を概略的に示す図。
【図８】図１及び図２に示すラベルの第１変形例を概略的に示す断面図。
【図９】図１及び図２に示すラベルの第２変形例を概略的に示す断面図。
【図１０】図９に示すラベルを無効化処理してなる構造の一例を概略的に示す断面図。
【図１１】図１及び図２に示すラベルの第３変形例を概略的に示す断面図。
【図１２】図１及び図２に示すラベルの第４変形例を概略的に示す断面図。
【図１３】本発明の第２態様に係るラベルを概略的に示す断面図。
【図１４】図１３に示すラベルの一変形例を概略的に示す断面図。
【図１５】粘着ラベルの一例を概略的に示す断面図。
【図１６】印刷物の一例を概略的に示す断面図。
【発明を実施するための形態】
【００４４】
以下、本発明の態様について、図面を参照しながら詳細に説明する。なお、同様又は類似した機能を発揮する構成要素には全ての図面を通じて同一の参照符号を付し、重複する説明は省略する。
【００４５】
図１は、本発明の第１態様に係るラベルを概略的に示す平面図である。図２は、図１に示すラベルのＩＩ−ＩＩ線に沿った断面図である。
【００４６】
図１及び図２に示すラベル１は、基材１１と、光反射層１２と、光学機能層１３と、光吸収パターン１４と、インキ層１５と、封止層１６とを含んでいる。インキ層１５、封止層１６、光反射層１２、光学機能層１３及び光吸収パターン１４は、この順で基材１１上に積層されている。ラベル１は、光吸収パターン１４側の面が前面であり、基材１１側の面が背面である。
【００４７】
光吸収パターン１４、光学機能層１３、光反射層１２、インキ層１５及び封止層１６は、この順で基材１１上に積層されていてもよい。この場合、ラベル１は、基材１１側の面が前面であり、封止層１６側の面が背面である。
【００４８】
基材１１は、例えば、樹脂からなるフィルムである。この樹脂としては、ポリエチレンテレフタレート、ポリエチレンナフタレート、ポリプロピレン、ポリカーボネート及びポリエチレンなどのプラスチックを使用することができる。基材は、典型的には透明であるが、アルミニウム箔のように不透明であってもよい。但し、ラベル１の基材１１側の面を前面とする場合、基材１１としては、第１波長の光を、典型的には互いに異なる第１及び第２波長の光を透過させるものを使用する。
【００４９】
基材１１は、単層構造を有していてもよく、多層構造を有していてもよい。基材１１の少なくとも一方の主面は、インキ層１５を構成しているインキに対して安定な材料からなる。基材の上記主面には、液だめとして利用可能な凹部が、例えばエンボスによって設けられていてもよい。基材１１は省略することができる。
【００５０】
インキ層１５は、基材１１の一方の主面上に設けられている。インキ層はインキからなる。このインキは、光学機能層１３及び光吸収パターン１４がそれらの構造を維持する温度範囲内の何れかの温度において流動性を示し、第１波長の光を吸収する。例えば、このインキは、少なくとも−２０乃至１００℃の温度域において液体であり、典型的には５乃至６５℃の温度域において液体である。また、このインキは、無効化処理によって得られる膜の第１波長の光に対する吸収率が、例えば７０％以上となり、典型的には９０％以上となるように調製されている。
【００５１】
ここでは、一例として、第１波長は、近赤外線領域のうち、発色又は変色によって吸収率が高まる波長域内にあることとする。また、「近赤外線領域」は、７００乃至１５００ｎｍの波長域を意味することとする。
【００５２】
このインキとしては、例えば、プロセス墨インキ、具体的には、カーボンブラックなどの炭素材料粉末とバインダとしての樹脂と任意に溶媒とを含んだインキを使用することができる。無効化処理の際に適度な粘性と適度な流動性とを示し、第１波長の光を高い効率で吸収するものであれば、他のインキを使用してもよい。ここでは、一例として、上記インキとして、黒色のインキを使用することとする。
【００５３】
インキ層１５は、例えば、印刷法によって形成することができる。インキ層１５として溶媒を含んだ層を形成する場合、溶媒を含んだインキからなる塗膜を形成した後、塗膜中に十分な量の溶媒が残留するように、速やかに封止層１６を形成する。
【００５４】
インキ層１５は、上記のインキを樹脂からなる膜でカプセル化してなるマイクロカプセルで構成してもよい。そのようなインキ層１５は、例えば、マイクロカプセルと分散媒とを含んだインキを用いた印刷法によって形成することができる。
【００５５】
封止層１６は、インキ層１５上に設けられている。封止層１６は、その周縁部全体に亘って基材１１と接触している。即ち、封止層１６は、基材１１とともに、インキ層１５を封止している。
【００５６】
封止層１６の材料は、上記のインキに対して安定であれば、どのようなものを使用しても構わない。封止層１６としては、例えば、基材１１について例示した樹脂からなるフィルムを使用することができる。但し、基材１１との接着性の観点から、封止層１６の材料は、基材１１の封止層１６側の主面の材料と同一であることが望ましい。
【００５７】
ラベル１の製造においては、例えば、まず、インキ層１６を形成した基板１１の主面上に、インキ層１６を取り囲むように接着剤層を設ける。次に、この基板１１と封止層１６として使用するフィルムとを、インキ層１６及び接着剤層を間に挟んで重ね合わせる。そして、この積層体に熱及び圧力を加える。これにより、封止層１６と基材１１とがインキ層１５を間に挟んで貼り合わされた構造を得る。
【００５８】
この構造は、他の方法で得ることも可能である。例えば、上述した方法において、接着剤を使用する代わりに、超音波接着法により封止層１６及び基材１１の周縁部同士を接着してもよい。
【００５９】
インキ層１５をマイクロカプセルで構成する場合、封止層１６は省略することができる。また、反射層１２に封止層１６の役割を担わせる場合も、封止層１６は省略することができる。
【００６０】
光反射層１２は、封止層１６上に設けられている。  
光反射層１２は、第１波長の光を反射させる。第１波長の光に対する光反射層１２の反射率は、例えば、５０乃至１００％の範囲内にあり、典型的には５０乃至８０％の範囲内にある。
【００６１】
光反射層１２は、鏡面反射体であってもよく、光散乱体であってもよい。光反射層１２に光透過性は要求されないため、光反射層１２として、金属又は合金からなる金属材料層を使用してもよい。金属材料層の材料としては、例えば、アルミニウム、クロム、ニッケル、亜鉛、銀、金、錫又はそれらの合金を使用することができる。金属材料層は、例えば真空蒸着などのドライコーティング法によって形成することができる。光反射層１２は、バインダとしての樹脂と鉄粉など粒子との混合物を含んだ層であってもよい。そのような光反射層１２は、ウェットコーティング法で形成することができる。
【００６２】
光学機能層１３は、光反射層１２上に設けられている。光学機能層１３は、第１波長の光を透過させる。第１波長の光に対する光学機能層１３の透過率は、例えば３０％以上であり、典型的には３０乃至６０％の範囲内にある。
【００６３】
光学機能層１３は、典型的には着色している。光学機能層１３が着色している場合、特に、光学機能層１３が黒色に着色している場合、肉眼による観察で光学機能層１３の背後の構造を知覚することは不可能となるか又は困難となる。また、光学機能層１３が光吸収パターン１４と同色である場合、光吸収パターン１４の存在を気付かれ難くすることができる。そして、光学機能層１３と光吸収パターン１４とインキ層１５を構成しているインキとが同色である場合、無効化処理が行われたことを肉眼による観察で知覚することは不可能となるか又は困難となる。ここでは、一例として、光学機能層１３は黒色を呈していることとする。
【００６４】
第１波長が近赤外領域内にある場合、光学機能層１３として、第１波長における透過率が３０％以上であり、前記光学機能層は、近赤外領域の７００乃至８００ｎｍの波長域と、近赤外領域の８００乃至１５００％の波長域でいずれかの波長の透過率差が１０％以上であるものを使用してもよい。即ち、光学機能層１３は、近赤外領域における透過スペクトルが、第１波長において高い透過率を示し、前記近赤外領域の７００乃至８００ｎｍの波長域と、近赤外領域の８００乃至１５００ｎｍの波長域でいずれかの波長の透過率差が１０％以下となる。こでは、一例として、光学機能層１３は、このような光学特性を有していることとする。また、ここでは、第２波長も近赤外領域内にあり、第２波長における光学機能層１３の透過率は、第１波長における光学機能層１３の透過率と比較してより低いこと、例えば、第１波長における光学機能層１３の透過率の８０％以下であることとする。
【００６５】
上記の光学特性、即ち、近赤外領域内の光のうち、一部の波長域の光を選択的に透過させ、残りの光を吸収する光学特性を有している光学機能層１３は、例えば、所定の近赤外線吸収剤と樹脂とを含んでいる。この近赤外線吸収剤としては、例えば、フタロシアニン化合物、ナフタロシアニン化合物、アントラキノン化合物、ジイモニウム化合物、及びシアニン化合物からなる群より選択される少なくとも１つを使用することができる。また、樹脂としては、例えば、プロセスインキにおいて一般に使用されているものを使用することができる。
【００６６】
光学機能層１３は、例えば、印刷法により形成する。この印刷法としては、例えば、オフセット印刷法、グラビア印刷法、スクリーン印刷法、及びフレキソ印刷法が挙げられる。光学機能層１３の厚さは、例えば０．５乃至１０μｍの範囲内とし、典型的には１乃至５μｍの範囲内とする。
【００６７】
光吸収パターン１４は、光学機能層１３上に設けられている。光吸収パターン１４は、光学機能層１３を間に挟んで光反射層１２の一部と向き合っている。図１及び図２に示す例では、光吸収パターン１４は、一次元コードを構成している。光吸収パターン１４は、二次元コードを構成していてもよい。或いは、光吸収パターン１４は、文字、記号、模様及び図形などの他のパターンを構成していてもよい。
【００６８】
光吸収パターン１４は、第１波長の光を吸収する。具体的には、光吸収パターン１４の第１波長における吸収率は、光反射層１２の第１波長における吸収率及び光学機能層１３の第１波長における吸収率と比較してより大きい。第１波長の光に対する光吸収パターン１４の吸収率は、例えば７０％以上であり、典型的には９０％以上である。
【００６９】
第１波長が近赤外領域内にある場合、光吸収パターン１４は、例えば、近赤外線吸収剤と樹脂とを含有している。この樹脂としては、例えば、プロセスインキにおいて一般に使用されているものを使用することができる。
【００７０】
ここで使用する近赤外線吸収剤は、典型的には、光学機能層１３において使用する近赤外線吸収剤とは、近赤外線領域の吸収スペクトルが異なっている。例えば、ここで使用する近赤外線吸収剤は、光学機能層１３において使用する近赤外線吸収剤と比較して、第１波長の光に対する吸収率がより大きい。この近赤外線吸収剤としては、例えば、プロセス墨インキに用いられているカーボンブラックを使用することができる。或いは、この近赤外線吸収剤として、光学機能層１３の近赤外線吸収剤として例示した化合物を使用してもよい。
【００７１】
光吸収パターン１４は、光学機能層１３と同色にするか、又は、第１波長の光に対して十分な吸収率を示す限り、薄い色にすることが好ましい。こうすると、ラベル１を肉眼で観察した場合に、光吸収パターン１４の存在が分かり難くなる。
【００７２】
光吸収パターン１４は、光反射層１２に対応した領域のほぼ全体に亘って分布していることが望ましい。こうすると、光学機能層１３の分光特性の解析を困難とすることができる。
【００７３】
光吸収パターン１４は、例えば、印刷法により形成する。この印刷法としては、例えば、オフセット印刷法、グラビア印刷法、スクリーン印刷法、及びフレキソ印刷法が挙げられる。或いは、光吸収パターン１４は、熱転写リボン、インクジェット印字、又はレーザー印字を用いて形成してもよい。光吸収パターン１４の厚さは、例えば０．５乃至１０μｍの範囲内とし、典型的には０．５乃至２μｍの範囲内とする。
【００７４】
次に、このラベル１を利用した真偽判定方法について説明する。  
まず、このラベル１を偽造防止ラベルとして使用した場合に真偽判定に利用可能な画像表示システムについて説明する。
【００７５】
図３は、真偽判定に利用可能な画像表示システムの一例を概略的に示す図である。  
図３に示すシステムは、２つの光源３１と、撮像装置３２と、画像表示装置３６と、光学フィルタ３８とを含んでいる。
【００７６】
光源３１は、例えば、赤外線ＬＥＤ（light-emitting diode）である。光源３１は、図示しない載置台上に前面が上向きになるように載置されたラベル１に対して斜め上方に設置されている。光源３１の一方は省略してもよい。また、３つ以上の光源３１を設けてもよい。複数の光源３１を設ける場合、それら光源３１が放射する光のスペクトルは、同一であってもよく、異なっていてもよい。後者の場合、例えば、第１波長の光を放射する光源３１と、第２波長の光を放射する光源３２とを配置し、それらを交互に点灯可能な構成を採用してもよい。
【００７７】
撮像装置３２は、例えば、ＣＣＤ（charge-coupled device）カメラである。撮像装置３２は、ラベル１の前面と正対するように設置されている。
【００７８】
画像表示装置３６は、撮像装置３２に接続されている。画像表示装置３６は、撮像装置３２が撮影した画像を表示する。
【００７９】
光学フィルタ３８は、第１及び第２波長の光を透過させ、他の波長の少なくとも一部を吸収する。例えば、光学フィルタ３８は、可視光を吸収し、赤外光の少なくとも一部を透過させる可視光カットフィルタである。光学フィルタ３８は、ラベル１と撮像装置３２との間に設置されている。
【００８０】
図４は、図１及び図２に示すラベルに記録された情報を、図３に示す画像表示システムによって可視化してなる画像の一例を概略的に示す図である。
【００８１】
製造直後のラベル１の前面を肉眼で観察した場合、例えば、その全体が黒色に見える。これに対し、図３に示すシステムを用いて、製造直後のラベル１を、光源３１が放射する第１波長の光で照明しながら撮像装置３２で撮影すると、画像表示装置３６は、光吸収パターン１４に対応した領域が黒く、ラベル１の他の部分に対応した領域が白い画像Ｉ１を表示する。即ち、この場合、潜像を可視化すること、例えばＰＣＳ（print contrast signal）値が０．７５以上の可視像を表示することができる。
【００８２】
なお、第１波長の光を放射する光源３１を消灯し、第２波長の光を放射する光源３１を点灯すると、画像表示装置３６は、例えば、全体が黒い画像を表示するか、又は、画像Ｉ１をより低いコントラスト比で、例えば０．７５未満のＰＣＳ値で表示する。
【００８３】
次に、ラベル１の無効化処理について説明する。  
図５は、図１及び図２に示すラベルの無効化処理法の一例を概略的に示す断面図である。図６は、図１及び図２に示すラベルを無効化処理してなる構造の一例を概略的に示す断面図である。
【００８４】
図５に示す無効化処理法では、破壊装置５１を使用する。図５に示す破壊装置５１は、ニードルアレイを含んだスタンパである。破壊装置５１は、ヒータを内蔵していてもよい。また、破壊装置５１は多数の針を含んでいるが、針の数は１つ以上であればよい。更に、図５に示す破壊装置５１を使用する代わりに、剃刀などの刃を含んだ装置を破壊装置として使用してもよい。
【００８５】
この無効化処理法では、破壊装置５１をラベル１の前面に押し当てて、破壊装置５１の針をラベル１に突き刺す。これにより、図６に示すように、ラベル１の前面からインキ層１５へ至る孔を形成し、インキ層１５からインキを滲み出させる。インキの流動性が低い場合は、破壊装置５１をラベル１の前面に押し当てる前に、ラベル１の前面に押し当てるのと同時に、又は、ラベル１に孔を形成した後に、ラベル１を加熱してもよい。
【００８６】
この無効化処理を行うと、インキ層１５から滲み出たインキは、先の孔内に広がり、場合によっては、ラベル１の表面に対して平行な方向へ更に広がる。例えば、インキ層１５から滲み出たインキは、ラベル１の前面に、図６に示すインキ層１５ａを形成する。
【００８７】
なお、ここでは、インキ層１５を構成しているインキ、光学機能層１３及び光吸収パターン４は、何れも黒色である。従って、この無効化処理後のラベル１の前面を肉眼で観察した場合、その全体が黒色に見える。
【００８８】
図７は、図５に示す方法によって無効化したラベルに記録された情報を、図３に示す画像表示システムによって可視化してなる画像の一例を概略的に示す図である。
【００８９】
図３に示すシステムを用いて、無効化処理後のラベル１を、光源３１が放射する第１波長の光で照明しながら撮像装置３２で撮影すると、画像表示装置３６は、ラベル１の光吸収パターン１４又はインキ層１５ａに対応した領域が黒く、ラベル１の他の部分に対応した領域が白い画像Ｉ２を表示する。即ち、この場合、画像表示装置３６は、図４の画像Ｉ１とは異なる画像Ｉ２を表示する。
【００９０】
画像Ｉ２のうち、光吸収パターン１４に対応した第１領域と、インキ層１５ａの光吸収パターン１４と向き合っていない部分に対応した第２領域とは、明るさが等しくてもよく、異なっていてもよい。後者の場合、画像Ｉ１のうち、第１領域に対応した領域を第３領域とし、第２領域に対応した領域を第４領域とすると、第１及び第２領域のコントラスト比が、第３及び第４領域のコントラスト比と比較してより小さければよい。
【００９１】
上述したラベル１には、様々な変形が可能である。  
図８は、図１及び図２に示すラベルの第１変形例を概略的に示す断面図である。  
図８に示すラベル１は、光吸収パターン１４が光反射層１２と光学機能層１３との間に介在していること以外は、図１及び図２を参照しながら説明したラベル１と同様である。
【００９２】
図１及び図２に示すラベル１では、光吸収パターン１４は、光学機能層１３上に設けられている。それ故、例えば、基材１１上にインキ層１５と封止層１６と光反射層１２と光学機能層１３とがこの順に積層された積層体を予め形成しておき、この積層体上に光吸収パターン１４をオンデマンドで形成することができる。即ち、ラベル毎に光吸収パターン１４を異なる形状に形成することが容易である。
【００９３】
これに対し、図８にラベル１では、光吸収パターン１４は、光学機能層１３と光反射層１２との間に介在している。それ故、光学機能層１３の可視光線透過率が低くすることにより、光吸収パターン１４を隠蔽することができる。その結果、このラベル１を利用して真偽判定を行っていることは、不正行為を行う者に悟られ難くなる。
【００９４】
図９は、図１及び図２に示すラベルの第２変形例を概略的に示す断面図である。図１０は、図９に示すラベルを無効化処理してなる構造の一例を概略的に示す断面図である。
【００９５】
図９に示すラベル１は、光反射層１２と光学機能層１３との間に多孔質層１７を更に含んでいること以外は、図１及び図２を参照しながら説明したラベル１と同様である。
【００９６】
多孔質層１７は、例えば、多孔質シリカ及び多孔質炭酸カルシウムなどのフィラーを多量に含み、バインダとして少量の樹脂を更に含んだ混合物からなる。このような多孔質層１７は、例えば、塗布法によって形成することができる。
【００９７】
多孔質層１７として、紙などの繊維質シートを使用してもよい。特に、厚めの上質紙は近赤外域の光を反射及び散乱させる能力が高いため、これを多孔質層１７として用いた場合、光反射層１２の効果を補強することができる。繊維質シートとしての多孔質層１７は、例えば、接着剤を用いて光反射層１２に固定することができる。
【００９８】
このラベル１を無効化処理すると、インキ層１５から滲み出たインキは、多孔質層１７によって吸収され、多孔質層１７内で、その主面に平行な方向へ拡散する。その結果、多孔質層１７内に、インキが浸透していない任意の未浸透部１７ａと、インキが浸透した浸透部１７ｂとが生じる。浸透部１７ｂは、図３に示すシステムを用いた線像の可視化を行った場合に、図１６に示すインキ層１５ａと同様の役割を果たす。従って、図９の構造を採用した場合も、図１及び図２を参照しながら説明した構造を採用した場合と同様の効果を得ることができる。
【００９９】
また、図９の構造を採用した場合、インキがラベル１の表面に到達して、周囲の物体を汚すのを抑制することができる。
【０１００】
図１１は、図１及び図２に示すラベルの第３変形例を概略的に示す断面図である。  
図１１に示すラベル１は、光反射層１２と光吸収パターン１４との間に多孔質層１７を更に含んでいること以外は、図８を参照しながら説明したラベル１と同様である。
【０１０１】
図１１の構造を採用した場合、図８を参照しながら説明した構造を採用した場合と同様の効果を得ることができる。また、図１１の構造を採用した場合、インキがラベル１の表面に到達して、周囲の物体を汚すのを抑制することができる。
【０１０２】
図１２は、図１及び図２に示すラベルの第４変形例を概略的に示す断面図である。  
図１２に示すラベル１は、以下の構成を採用したこと以外は、図１及び図２を参照しながら説明したラベル１と同様である。即ち、このラベル１は、封止層１６を含んでいない。また、このラベル１では、インキ層１５は、光学機能層１３の主面へのインキ層１５の第１正射影と先の主面への光吸収パターン１４の第２正射影との組み合わせが先の主面の一部のみを占めるように、光学機能層１３と光吸収パターン１４との間に位置している。そして、このラベル１では、インキ層１５は、マイクロカプセルからなる。
【０１０３】
図１２の構造を採用した場合も、図１及び図２を参照しながら説明した構造を採用した場合と同様の効果を得ることができる。
【０１０４】
なお、インキ層１５と光吸収パターン１４とは、完全に重なり合っていてもよく、一部のみ重なり合っていてもよい。また、インキ層１５は、光反射層１２と光学機能層１３との間に介在していてもよい。
【０１０５】
次に、本発明の第２態様を説明する。  
図１３は、本発明の第２態様に係るラベルを概略的に示す断面図である。
【０１０６】
図１３に示すラベル１は、以下の構成を採用したこと以外は、図１及び図２を参照しながら説明したラベル１と同様である。即ち、このラベル１は、光吸収パターン１４を含んでいない。そして、このラベル１では、光反射層１２が、光吸収パターン１４と同様にパターニングされている。即ち、このラベル１では、光反射層１２は、光吸収パターン１４と同様の形状の光反射パターンを構成している。
【０１０７】
光反射パターンとしての光反射層１２は、例えば、封止層１６上に、マスクを用いた真空蒸着によってアルミニウムなどの金属又は合金を堆積させることにより得られる。或いは、光反射パターンとしての光反射層１２は、封止層１６上にマスク層を印刷し、それらの上に真空蒸着によってアルミニウムなどの金属又は合金を堆積させ、その後、マスク層をその上の金属材料層とともに除去することにより得られる。或いは、樹脂中に鉄粉などの金属粉を高濃度に含有したインキを封止層１６上に印刷することによって得られる。
【０１０８】
このラベル１は、肉眼で観察した場合に、図１及び図２を参照しながら説明したラベル１と同様の画像を表示する。そして、図３に示すシステムを用いて、このラベル１を、光源３１が放射する第１波長の光で照明しながら撮像装置３２で撮影すると、画像表示装置３６は、図１及び図２を参照しながら説明したラベル１と同様の画像を表示する。
【０１０９】
また、このラベル１は、無効化処理後に肉眼で観察した場合に、図６を参照しながら説明した無効化処理後のラベル１とほぼ同様の画像を表示する。そして、図３に示すシステムを用いて、無効化処理後のラベル１を、光源３１が放射する第１波長の光で照明しながら撮像装置３２で撮影すると、画像表示装置３６は、図６を参照しながら説明した無効化処理後のラベル１とほぼ同様の画像を表示する。
【０１１０】
即ち、図１３の構造を採用した場合も、図１及び図２を参照しながら説明した構造を採用した場合とほぼ同様の効果を得ることができる。
【０１１１】
このラベル１には、様々な変形が可能である。  
図１４は、図１３に示すラベルの一変形例を概略的に示す断面図である。
【０１１２】
図１４に示すラベル１は、光反射層１２と光学機能層１３との間に多孔質層１７を更に含んでいること以外は、図１３を参照しながら説明したラベル１と同様である。
【０１１３】
図１４の構造を採用した場合、図１３を参照しながら説明した構造を採用した場合と同様の効果を得ることができる。また、図１４の構造を採用した場合、インキがラベル１の表面に到達して、周囲の物体を汚すのを抑制することができる。
【０１１４】
次に、上述したラベル１を含んだ粘着ラベル及び印刷物を説明する。
【０１１５】
図１５は、粘着ラベルの一例を概略的に示す断面図である。  
図１５に示す粘着ラベル１０は、図１及び図２を参照しながら説明したラベル１と、粘着層２とを含んでいる。粘着層２は、ラベル１の背面上に設けられている。
【０１１６】
この粘着ラベル１０は、例えば、真正品であることを確認可能であることが望まれる物品に貼り付ける。なお、粘着ラベル１０は、粘着層２の表面を剥離可能に被覆した剥離紙を更に含んでいてもよい。
【０１１７】
図１６は、印刷物の一例を概略的に示す断面図である。  
図１６に示す印刷物１００は、図１及び図２を参照しながら説明したラベル１と、粘着層２と、印刷物本体３とを含んでいる。ラベル１は、粘着層２を介して印刷物本体３に貼り付けられている。
【０１１８】
印刷物本体３は、印刷基材３ａと印刷層３ｂとを含んでいる。
【０１１９】
印刷基材３ａは、例えば、紙、プラスチック、木材、ガラス又は樹脂からなる。印刷基材３ａは、単層構造を有していてもよく、多層構造を有していてもよい。印刷基材３ａは、層形状を有していてもよく、他の形状を有していてもよい。
【０１２０】
印刷層３ｂは、印刷基材３ａ上に設けられている。印刷層３ｂは、印刷基材３ａの全体を被覆していてもよく、一部のみを被覆していてもよい。
【０１２１】
この印刷物１００について、その使用期間終了後に上記の無効化処理を行うこととする。こうすると、真正品であるかが未知の印刷物について、例えば図３を参照しながら説明した画像表示システムを利用することにより、ラベル１が再使用されたものであるか否かを判別することができる。即ち、真正品であるかが未知の印刷物の真偽判定が可能である。従って、不正行為を行う者を牽制することができ、それ故、物品に貼り付けられたラベルが、その物品の使用期間を終了した後に再使用されるのを抑制することができる。その結果、印刷物１００の偽造を抑制することができる。
【実施例１】
【０１２２】
以下に、本発明の例を記載する。
【０１２３】
図９を参照しながら説明したラベル１を、以下の方法により製造した。  
まず、封止層１６として、厚さが２５μｍのポリエチレンテレフタレートシートを準備した。この封止層１６の一方の主面上に、真空蒸着法により、光反射層１２として、厚さが５００オングストロームのアルミニウム層を形成した。
【０１２４】
次に、光反射層１２上にポリオレフィン系の接着剤をグラビア印刷法で塗工し、この接着剤層を介して、光反射層１２に多孔質層１７を重ね合わせ、適度な熱及び圧力を加えてそれらを貼り合わせた。なお、多孔質層１７としては、坪量が５２ｇ／ｍ2の上質紙を使用した。
【０１２５】
次いで、多孔質層１７上に、オフセット印刷法により、以下に組成を示すインキＢを乾燥膜厚が１μｍになるように印刷した。更に、この塗膜に紫外線を照射した。これにより、光学機能層１３を得た。
【０１２６】
その後、光学機能層１３上に、オフセット印刷法により、プロセス墨インキを乾燥膜厚が１μｍになるように印刷して、二次元コードパターンとしての光吸収パターン１４を形成した。プロセス墨インキとしては、東洋インキ製造社製のＦＤ カルトンＡＣＥ スミ ロを使用した。以下、このようにして得られた構造を、「第１構造」と呼ぶ。
【０１２７】
上述した方法で第１構造を形成する一方で、以下の方法により第２構造を形成した。  
まず、基材１１として、厚さが２５μｍのポリエチレンシートを準備した。この基材１１には、エンボス加工を行って、一方の主面に凹部を形成した。この凹部内に、グラビア印刷法により、インキを乾燥膜厚が約５μｍになるように塗工して、インキ層１５を形成した。このインキとしては、東洋インキ製造社製のＪＷ２５０ アクワエコール ９１１を使用した。その後、基材１１の先の主面のうち、凹部を取り囲んでいる部分に、スクリーン印刷方法によってポリオレフィン系の接着剤を約２μｍの厚さに塗工した。以下、このようにして得られた構造を、「第２構造」と呼ぶ。
【０１２８】
次に、第１及び第２構造を、基材１１と封止層１６とがインキ層１５を間に挟んで向き合うように重ね合わせた。続いて、この積層体の周縁部に、１５０℃の熱と１０ｋｇ／ｃｍ2の圧力とを約３秒間に亘って加えて、基材１１と封止層１６とを接着した。以上のようにして、ラベル１を完成した。
【０１２９】
［インキＢの組成］
有機系青色顔料（御国色素社製）                                      ５質量部
有機系赤色顔料（御国色素社製）                                      ７質量部
有機系黄色顔料（御国色素社製）                                      ８質量部
ＵＶ硬化型オフセットインキメジウム（ＦＤ  カルトンＡＣＥ  メジウム  ロ：東洋インキ製造社製）                                                      ８０質量部
【実施例２】
【０１３０】
基材１１として、厚さ２５ミクロンの白色ＰＥＴを準備し、この基材１１上に前記多孔質層１７を貼付し、さらに多孔質層１７上層に前記［インキＢの組成］からなるインキをオフセット印刷法にて膜厚が１μｍになるように全面に印刷した。この上層に下記［マイクロカプセルインキの組成］からなるインキを、グラビア印刷法にて２次元コードパターンが形成されるように印刷してラベル２を完成させた。
【０１３１】
［マイクロカプセルインキの組成］
カーボンブラック分散液内包マイクロカプセル（平均粒子径１０μｍ）  ５０重量部
ＰＶＡ樹脂（ポバールＰＶＡ−１１７：クラレ（株）社製                ５重量部
水                                                                ４５重量部
これらラベル１およびラベル２の前面を肉眼で観察したところ、全体が黒色に見えた。
【０１３２】
また、図３に示すシステムを用いて、ラベル１およびラベル２を、光源３１が放射する第１波長の光、ここでは波長が８００ｎｍの光で照明しながら撮像装置３２で撮影したところ、画像表示装置３６は、黒色の二次元コードパターンと白色の背景とからなる画像を表示した。即ち、ラベルは、機械読み取りが可能な画像を表示した。
【０１３３】
次に、このラベル１に対して無効化処理を行った。具体的には、図５を参照しながら説明したように、ラベル１およびラベル２に、その前面側から破壊装置５１を押し当てた。
【０１３４】
次いで、図３に示すシステムを用いて、ラベル１およびラベル２を、光源３１が放射する上記第１波長の光で照明しながら撮像装置３２で撮影したところ、いずれのラベルにおいても画像表示装置３６は、光吸収パターン１４と針で孔を設けた部分及びその近傍との少なくとも一方に対応した領域が黒色に見えた。即ち、二次元コードパターンを正確に読み取ることが不可能となった。
以下に、当初の特許請求の範囲に記載していた発明を付記する。
［１］
或る波長の光を透過させる光学機能層と、
前記光学機能層と向き合い、前記波長の光を吸収する光吸収パターンと、
前記光学機能層及び前記光吸収パターンがそれらの構造を維持する温度範囲内の何れかの温度において流動性を示し、前記波長の光を吸収するインキを含んだインキ層と、
任意に、前記光学機能層及び前記光吸収パターンの後方に位置し、前記波長の光を反射させる光反射層と
を備えたラベルであって、
前記ラベルが前記光反射層を含んでいない場合、前記インキ層は、前記光学機能層の主面への前記インキ層の第１正射影と前記主面への前記光吸収パターンの第２正射影との組み合わせが前記主面の一部のみを占めるように、前記光学機能層又は前記光吸収パターンの後方に位置し、
前記ラベルが前記光反射層を含んでいる場合、前記インキ層は、前記光反射層の後方に位置しているか、又は、前記組み合わせが前記主面の一部のみを占めるように前記光学機能層又は前記光吸収パターンの後方に位置しているラベル。
［２］
前記ラベルは前記光反射層を含み、前記インキ層は前記光反射層の後方に位置している［１］に記載のラベル。
［３］
前記光学機能層は前記光吸収パターンと前記光反射層との間に介在した［２］に記載のラベル。
［４］
前記光吸収パターンは前記光学機能層と前記光反射層との間に介在した［２］に記載のラベル。
［５］
或る波長の光を透過させる光学機能層と、
前記光学機能層の背面の一部と向き合い、前記波長の光を反射させる光反射パターンとしての光反射層と、
前記光学機能層の背面の他の一部と前記反射層を間に挟んで向き合ったインキ層であって、前記光学機能層及び前記光反射層がそれらの構造を維持する温度範囲内の何れかの温度において流動性を示し、前記波長の光を吸収するインキを含んだインキ層と
を備えたラベル。
［６］
前記光反射層の前方に位置し、前記波長の光を透過させる多孔質層を更に備えた［１］乃至［５］の何れか１項に記載のラベル。
［７］
前記多孔質層は前記光学機能層と前記光反射層との間に介在した［６］に記載のラベル。
［８］
前記波長は赤外領域内にあり、前記光学機能層は黒色層である［１］乃至［７］の何れか１項に記載のラベル。
［９］
前記波長は近赤外領域内にあり、前記光学機能層の前記波長における透過率は３０％以上であり、前記光学機能層は、近赤外領域の７００乃至８００ｎｍの波長域と、近赤外領域の８００乃至１５００％の波長域でいずれかの波長の透過率差が１０％以上である［８］に記載のラベル。
［１０］
［１］乃至［９］の何れか１項に記載のラベルと、前記ラベルの背面と向き合った粘着層とを具備した粘着ラベル。
［１１］
［１］乃至［９］の何れか１項に記載のラベルと、
前記ラベルの背面と向き合った印刷基材と、
前記ラベルと前記印刷基材との間に介在して、前記ラベルを前記印刷基材に貼り付けた粘着層と
を具備した印刷物。
【符号の説明】
【０１３５】
１…ラベル、２…粘着層、３…印刷物本体、３ａ…印刷基材、３ｂ…印刷層、１０…粘着ラベル、１１…基材、１２…光反射層、１３…光学機能層、１４…光吸収パターン、１５…インキ層、１６…封止層、１７…多孔質層、１７ａ…未浸透部、１７ｂ…浸透部、３１…光源、３２…撮像装置、３６…画像表示装置、３８…光学フィルタ、５１…破壊装置、１００…印刷物。
【図１】
0005848935.tif 000002
【図２】
0005848935.tif 000003
【図３】
0005848935.tif 000004
【図４】
0005848935.tif 000005
【図５】
0005848935.tif 000006
【図６】
0005848935.tif 000007
【図７】
0005848935.tif 000008
【図８】
0005848935.tif 000009
【図９】
0005848935.tif 000010
【図１０】
0005848935.tif 000011
【図１１】
0005848935.tif 000012
【図１２】
0005848935.tif 000013
【図１３】
0005848935.tif 000014
【図１４】
0005848935.tif 000015
【図１５】
0005848935.tif 000016
【図１６】
0005848935.tif 000017